【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
錠剤シートが含む錠剤の種別を読み取る読取部を、取出ユニット毎にそれぞれ有する調剤装置と通信可能に接続される情報処理装置であって、
錠剤が供給されるべき取出ユニットを、処方データに記憶する処方データ記憶手段と、
前記読取部が設けられているそれぞれの取出ユニットとの対応関係を示す設定データにより、錠剤シートから読み取った読取部を有する取出ユニットと、前記処方データが記憶する供給されるべき取出ユニットが合っているか否かを判定する取出ユニット判定手段と、
前記取出ユニットが合っていないと判定される場合には、錠剤の種別を読み取った取出ユニットは、前記処方データに記憶する前記錠剤が供給されるべき取出ユニットではない旨を通知する第１の通知手段と、
を備えることを特徴とする情報処理装置。
【請求項２】
前記処方データ記憶手段には更に、前記錠剤が供給されるべき取出ユニットに、当該取出ユニットから供給される錠剤の種別を対応させて処方データに記憶し、
前記読取部で読み取られた錠剤シートが含む錠剤の種別と、前記処方データが記憶する前記取出ユニットから供給される錠剤の種別が一致しているかを判定する錠剤種別判定手段と、
前記錠剤の種別が一致していないと判定された場合には、前記読取部で読み取られた錠剤シートが含む錠剤の種別は、前記処方データが記憶する取出ユニットから供給される錠剤の種別ではない旨を通知する第２の通知手段と、
をさらに備えることを特徴とする請求項１に記載の情報処理装置。
【請求項３】
錠剤シートを１枚毎に搬送する搬送手段を更に備え、
前記搬送手段が錠剤シートを１枚毎に搬送して錠剤シートが含む錠剤の種別を当該錠剤シートから読み取ることで、前記取出ユニット判定手段が、前記読取部が設けられているそれぞれの取出ユニットとの対応関係を示す設定データにより、錠剤の種別を読み取った読取部を有する取出ユニットと、前記処方データが記憶する供給されるべき取出ユニットが合っているか否かを１枚毎に判定することを特徴とする請求項１または２に記載の情報処理装置。
【請求項４】
錠剤シートを１枚毎に搬送する搬送手段を更に備え、
前記搬送手段が錠剤シートを１枚毎に搬送して錠剤シートが含む錠剤の種別を当該錠剤シートから読み取ることで、前記錠剤種別判定手段が、前記読取部で読み取られた錠剤シートが含む錠剤の種別と、前記処方データが記憶する前記取出ユニットから供給される錠剤の種別が一致しているかを１枚毎に判定することを特徴とする請求項２に記載の情報処理装置。
【請求項５】
錠剤の種別毎に、当該錠剤の種別が収容されている錠剤シート本体に前記錠剤シート情報が印字されているか否かの印字情報を記憶する薬品マスタ記憶手段と、
前記読取部を介して前記錠剤シート情報が取得可能かを、前記記憶されている前記印字情報に基づいて判定する取得可能判定手段と、
をさらに備えることを特徴とする請求項１乃至４のいずれか１項に記載の情報処理装置。
【請求項６】
前記調剤装置により前記取出ユニットからの供給動作が開始された後に、前記取出ユニット判定手段により合っていないと判定された場合には、開始済みである前記取出ユニットからの前記供給動作を一時停止する指示を前記調剤装置に送信する一時停止指示送信手段と、
前記第１の通知手段が通知した表示画面を介して、前記一時停止された供給動作を再開する指示を受け付ける再開指示受付手段と、
をさらに備えることを特徴とする請求項１乃至５のいずれか1項に記載の情報処理装置。
【請求項７】
前記調剤装置による供給動作を開始する指示を受け付ける開始指示受付手段と、
前記調剤装置により前記取出ユニットからの前記供給動作が開始される前に、前記取出ユニット判定手段により合っていないと判定された場合には、前記開始指示受付手段を介して、前記開始する指示の受け付けができないように変更する開始指示変更手段と、
をさらに備えることを特徴とする請求項１乃至６のいずれか１項に記載の情報処理装置。
【請求項８】
錠剤が供給されるべき取出ユニットを、処方データに記憶する処方データ記憶手段を備え、錠剤シートが含む錠剤の種別を読み取る読取部を、取出ユニット毎にそれぞれ有する調剤装置と通信可能に接続される情報処理装置を制御する方法であって、
前記読取部が設けられているそれぞれの取出ユニットとの対応関係を示す設定データにより、錠剤シートから読み取った読取部を有する取出ユニットと、前記処方データが記憶する供給されるべき取出ユニットが合っているか否かを判定する取出ユニット判定工程と、
前記取出ユニットが合っていないと判定される場合には、錠剤の種別を読み取った取出ユニットは、前記処方データに記憶する前記錠剤が供給されるべき取出ユニットではない旨を通知する通知工程と、
を有することを特徴とする情報処理装置の制御方法。
【請求項９】
請求項８に記載の制御方法をコンピュータに実行させるためのプログラム。
【請求項１０】
錠剤シートが含む錠剤の種別を読み取る読取部を、それぞれ有する取出ユニットと、
錠剤が供給されるべき取出ユニットを、処方データに記憶する処方データ記憶手段と、
前記読取部が設けられているそれぞれの取出ユニットとの対応関係を示す設定データにより、錠剤シートから読み取った読取部を有する取出ユニットと、前記処方データが記憶する供給されるべき取出ユニットが合っているか否かを判定する取出ユニット判定手段と、
前記取出ユニットが合っていないと判定される場合には、錠剤の種別を読み取った取出ユニットは、前記処方データに記憶する前記錠剤が供給されるべき取出ユニットではない旨を通知する通知手段と、
を備えることを特徴とする調剤装置。
【請求項１１】
錠剤が供給されるべき取出ユニットを、処方データに記憶する処方データ記憶手段を備え、錠剤シートが含む錠剤の種別を識別する錠剤シート情報を読み取る読取部を、それぞれ有する取出ユニットを備える調剤装置を制御する方法であって、
前記読取部が設けられているそれぞれの取出ユニットとの対応関係を示す設定データにより、錠剤シートから読み取った読取部を有する取出ユニットと、前記処方データが記憶する供給されるべき取出ユニットが合っているか否かを判定する取出ユニット判定工程と、
前記取出ユニットが合っていないと判定される場合には、錠剤の種別を読み取った取出ユニットは、前記処方データに記憶する前記錠剤が供給されるべき取出ユニットではない旨を通知する通知工程と、
を有することを特徴とする調剤装置の制御方法。
【請求項１２】
請求項１１に記載の制御方法をコンピュータに実行させるためのプログラム。
【手続補正２】
【補正対象書類名】明細書
【補正対象項目名】０００９
【補正方法】変更
【補正の内容】
【０００９】
本発明に係わる情報処理装置は、錠剤シートが含む錠剤の種別を読み取る読取部を、取出ユニット毎にそれぞれ有する調剤装置と通信可能に接続される情報処理装置であって、錠剤が供給されるべき取出ユニットを、処方データに記憶する処方データ記憶手段と、前記読取部が設けられているそれぞれの取出ユニットとの対応関係を示す設定データにより、錠剤シートから読み取った読取部を有する取出ユニットと、前記処方データが記憶する供給されるべき取出ユニットが合っているか否かを判定する取出ユニット判定手段と、前記取出ユニットが合っていないと判定される場合には、錠剤の種別を読み取った取出ユニットは、前記処方データに記憶する前記錠剤が供給されるべき取出ユニットではない旨を通知する第１の通知手段と、を備えることを特徴とする。
【手続補正３】
【補正対象書類名】明細書
【補正対象項目名】００１０
【補正方法】変更
【補正の内容】
【００１０】
本発明に係わる調剤装置は、錠剤シートが含む錠剤の種別を読み取る読取部を、それぞれ有する取出ユニットと、錠剤が供給されるべき取出ユニットを、処方データに記憶する処方データ記憶手段と、前記読取部が設けられているそれぞれの取出ユニットとの対応関係を示す設定データにより、錠剤シートから読み取った読取部を有する取出ユニットと、前記処方データが記憶する供給されるべき取出ユニットが合っているか否かを判定する取出ユニット判定手段と、前記取出ユニットが合っていないと判定される場合には、錠剤の種別を読み取った取出ユニットは、前記処方データに記憶する前記錠剤が供給されるべき取出ユニットではない旨を通知する通知手段と、を備えることを特徴とする。